(57)【要約】【課題】ストラップの取付構造を簡単な構成で部品点数の少ないものとする。【解決手段】背面側キャビネット３にストラップ挿通用凹部３ａと、このストラップ挿通用凹部３ａに隣り合うナット圧入用穴３ｂを設ける。正面側キャビネット２にナット圧入用穴３ｂに対応するネジ挿通孔２ａを設ける。結合ネジ５をネジ挿通孔２ａに挿通し、ナット圧入用穴３ｂに圧入されたナット６に締結することで、背面側キャビネット３と正面側キャビネット２とを結合させる。ナット６にストラップ挿通用凹部３ａ内へ突出し、ストラップを掛けることができる軸部７を設ける。【選択図】図１
2014121057.tif 000002
【特許請求の範囲】
【請求項１】
ストラップを取付可能な携帯端末において、
ストラップ挿通用凹部及び該ストラップ挿通用凹部に隣り合うナット圧入用穴を有する第１のキャビネットと、
上記ナット圧入用穴に対応するネジ挿通孔を有し、上記第１のキャビネットに結合される第２のキャビネットと、
上記ネジ挿通孔に挿通され、上記ナット圧入用穴に圧入されたナットに締結されることで、上記第１のキャビネットと上記第２のキャビネットとを結合させる結合ネジとを備えており、
上記ナットは、上記ストラップ挿通用凹部内へ突出し、上記ストラップを掛けることができる軸部を備えている
ことを特徴とする携帯端末。
【請求項２】
請求項１に記載の携帯端末において、
上記ナットの底面と上記ナット圧入用穴底面との間に防水パッキンが挟持されている
ことを特徴とする携帯端末。
【発明の詳細な説明】
【技術分野】
【０００１】
本発明は、ストラップを取付可能な携帯端末に関し、特にそのストラップの取付構造に関する。
【背景技術】
【０００２】
従来より、この種の携帯端末では、ストラップを取り付けるための専用のストラップ取付ピンをキャビネットに設けることが行われている。また、キャビネットにＵ字状に貫通孔を設け、その貫通孔にストラップを通すことが知られている。
【０００３】
一方で、特許文献１のように、上部カバー固定ネジにストラップ取付ピン部であるネジ胴部を設けることが知られている。
【先行技術文献】
【特許文献】
【０００４】
【特許文献１】特開２００６−３３９６０３号公報
【発明の概要】
【発明が解決しようとする課題】
【０００５】
しかしながら、従来の携帯端末では、固定ネジの抜けを防止するために固定ネジの上方にリブを設けるなどの複雑な形状となっている。また、筐体にＵ字状に貫通孔を設け、その貫通孔にストラップを通す構造では、金型構成が複雑となる。
【０００６】
本発明は、かかる点に鑑みてなされたものであり、その目的とするところは、ストラップの取付構造を簡単な構成で部品点数の少ないものとすることにある。
【課題を解決するための手段】
【０００７】
上記の目的を達成するために、この発明では、２つのキャビネットを固定する結合ネジを締結するナットにストラップを取り付けるための軸部を設けた。
【０００８】
具体的には、第１の発明では、
ストラップを取付可能な携帯端末において、
ストラップ挿通用凹部及び該ストラップ挿通用凹部に隣り合うナット圧入用穴を有する第１のキャビネットと、
上記ナット圧入用穴に対応するネジ挿通孔を有し、上記第１のキャビネットに結合される第２のキャビネットと、
上記ネジ挿通孔に挿通され、上記ナット圧入用穴に圧入されたナットに締結されることで、上記第１のキャビネットと上記第２のキャビネットとを結合させる結合ネジとを備えており、
上記ナットは、上記ストラップ挿通用凹部内へ突出し、上記ストラップを掛けることができる軸部を備えている。
【０００９】
上記の構成によると、ナットにストラップを掛けるための軸部を設けたことにより、部品点数が減ると共に、第１のキャビネットと第２のキャビネットとの結合部位に軸部を配置したので、強度が向上する。また、ストラップ挿通用凹部の形状が簡単になり、金型構成が簡素化される。
【発明の効果】
【００１０】
以上説明したように、本発明によれば、ナット圧入用穴に圧入されたナットに第１のキャビネットと第２のキャビネットとを結合させる結合ネジを締結し、ナットに設けたストラップ挿通用凹部内へ突出する軸部にストラップを掛けるようにしたことにより、ストラップの取付構造を簡単な構成で部品点数の少ないものとすることができる。
【図面の簡単な説明】
【００１１】
【図１】図３のＩ−Ｉ線拡大断面図である。
【図２】本発明の実施形態に係る携帯電話機の第２の筐体を示す分解斜視図である。
【図３】第２の筐体の正面図である。
【図４】図３のIV−IV線拡大断面図である。
【図５】ナット、防水パッキン及び結合ネジを拡大して示す斜視図である。
【発明を実施するための形態】
【００１２】
以下、本発明の実施形態を図面に基づいて説明する。
【００１３】
図２は、本発明の実施形態に係る携帯端末としての携帯電話機の第２の筐体１を示す分解斜視図であり、図３は、第２の筐体１の正面図である。詳しくは図示しないが、携帯電話機は、例えば、表示部を有する第１の筐体と第２の筐体１とが、ヒンジ部１ａを中心に折畳み開閉自在に連結されている。第２の筐体１は、第２のキャビネットとしての正面側キャビネット２と、第１のキャビネットとしての背面側キャビネット３とを備えている。正面側キャビネット２は、正面側に複数のキーを有する操作部４を備えている。正面側キャビネット２と背面側キャビネット３とは、複数の結合ネジ５で締結され、結合されるようになっている。
【００１４】
図１は、図３のＩ−Ｉ線拡大断面図であり、図４は、図３のIV−IV線拡大断面図である。背面側キャビネット３は、左側面上側にストラップ挿通用凹部３ａが形成されている。そして、このストラップ挿通用凹部３ａに隣り合うように、正面側に断面円形のナット圧入用穴３ｂが形成されている。一方、正面側キャビネット２には、ナット圧入用穴３ｂに対応する円形のネジ挿通孔２ａがナット圧入用穴３ｂに対して同心に貫通形成されている。ネジ挿通孔２ａの表面側には、リング用溝部２ｂが設けられ、さらに表面側にザグリ２ｃが形成されている。そして、結合ネジ５が、ネジ挿通孔２ａに挿通されたナット圧入用穴３ｂに圧入されたナット６に締結され、背面側キャビネット３と正面側キャビネット２とが結合されるようになっている。結合ネジ５には、Ｏリング９が挿入され、このＯリング９がリング用溝部２ｂにおいて防水機能を発揮するようになっている
図５は、ナット６、防水パッキン８及び結合ネジ５を拡大して示す斜視図である。そして、本発明の特徴として、ナット６は、ストラップ挿通用凹部３ａ内へ突出し、ストラップを掛けることができる、丸棒状の軸部７を備えている。軸部７は、例えばナット６と同様に金属で構成され、ナット６に一体に形成してもよいし、ナット６に接着したり、溶接したり、カシメたりして結合されていてもよい。接着等を行う場合には、軸部７を高強度の樹脂成形品等で構成してもよい。軸部７の先端は、ストラップ挿通用凹部３ａに形成されたナット圧入用穴３ｂに対して同心の先端挿入穴３ｃに挿入されている。ナット６の中間外周は、他の部位に対して凹陥された環状凹部６ａが形成されている。ナット６をナット圧入用穴３ｂに圧入したときに、この環状凹部６ａにナット圧入用穴３ｂを形成する樹脂部分が嵌り込んでナット６が抜け止めされるようになっている。
【００１５】
また、ナット６の底面とナット圧入用穴３ｂの底面との間に、円環状のゴム等よりなる防水パッキン８が挟持されている。
【００１６】
（１）このように、ナット６にストラップを掛けるための軸部７を一体に設けたことにより、部品点数が減ると共に、背面側キャビネット３と正面側キャビネット２との接合部位に軸部を配置したので、強度が向上する。また、ストラップ挿通用凹部３ａの形状が簡単になり、金型構成が簡素化される。
【００１７】
（２）また、ナット６の底面とナット圧入用穴３ｂ底面との間に防水パッキン８を挟持したことにより、簡単な構成でストラップ挿通用凹部３ａとナット圧入用穴３ｂとの間の防水が行われる。
【００１８】
したがって、本実施形態に係る携帯電話機によると、ナット圧入用穴３ｂに圧入されたナット６に背面側キャビネット３と正面側キャビネット２とを結合させる結合ネジ５を締結し、ナット６に設けたストラップ挿通用凹部３ａ内に突出する軸部７にストラップを掛けるようにしたことにより、ストラップの取付構造を簡単な構成で部品点数の少ないものとすることができる。
【００１９】
（その他の実施形態）
本発明は、上記実施形態について、以下のような構成としてもよい。
【００２０】
すなわち、上記実施形態では、携帯電話機は、折畳み式携帯電話機としたが、第１の筐体が第２の筐体に対してスライド移動するスライド式携帯電話機、第１の筐体が第２の筐体に対して回転する回転式携帯電話機やストレートタイプの携帯電話機でもよい。いずれの形状においても、第１のキャビネットと第２のキャビネットとを結合する結合ネジを締結する部分にストラップ挿通用孔部を設けて本発明を適用すればよい。
【００２１】
上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２２】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２３】
１      第２の筐体
１ａ    ヒンジ部
２      正面側キャビネット（第２のキャビネット）
２ａ    ネジ挿通孔
３      背面側キャビネット（第１のキャビネット）
３ａ    ストラップ挿通用凹部
３ｂ    ナット圧入用穴
３ｃ    先端挿入穴
４      操作部
５      結合ネジ
６      ナット
７      軸部
８      防水パッキン
【図１】
2014121057.tif 000003
【図２】
2014121057.tif 000004
【図３】
2014121057.tif 000005
【図４】
2014121057.tif 000006
【図５】
2014121057.tif 000007